(57)【要約】【課題】市民農園などの隣接する区画で農作物を栽培している利用者同士が、各々の栽培している農作物の栽培情報を共有化し相互に利活用することで、利用者の農作物の栽培計画を支援する。【解決手段】栽培情報共有サーバは、農園の区画の区画ＩＤと、利用者のユーザＩＤと、を対応付けてユーザ情報として登録したユーザ情報記憶手段と、情報入力表示端末から、ユーザＩＤと、栽培情報を受信したとき、ユーザＩＤに基づいてユーザ情報を参照して対応する区画ＩＤを取得し、区画毎に栽培情報を分類して区画別栽培情報として登録した区画別栽培情報記憶手段と、情報入力表示端末から、栽培情報の表示要求を受信したとき、ユーザ情報を参照して対応する区画ＩＤを取得し、当該区画及び当該区画に隣接する区画の区画別栽培情報を取得する区画別栽培情報取得手段と、取得した区画別栽培情報を情報入力表示端末に表示する表示手段とを備える。【選択図】図３
2014035700.tif 000002
【特許請求の範囲】
【請求項１】
利用者の情報入力表示端末の各々と通信ネットワークにより接続可能な栽培情報共有サーバを備えた農作物の栽培情報利活用システムであって、
前記栽培情報共有サーバは、
農園の区画の区画ＩＤと、利用者のユーザＩＤと、を対応付けてユーザ情報として登録したユーザ情報記憶手段と、
前記情報入力表示端末から、ユーザＩＤと、記録対象の作業又は事象の日付及び名称と、記録内容とを含む栽培情報を受信したとき、ユーザＩＤに基づいて前記ユーザ情報を参照して対応する区画ＩＤを取得し、取得した区画ＩＤに基づいて、区画毎に前記栽培情報を分類して区画別栽培情報として登録した区画別栽培情報記憶手段と、
前記区画別栽培情報記憶手段に記憶された前記区画別栽培情報を参照し、肥料農薬に関する情報が含まれるか否かを判断する手段と、
前記情報入力表示端末から、ユーザＩＤとともに栽培情報の表示要求を受信したとき、ユーザＩＤに基づいて前記ユーザ情報を参照して対応する区画ＩＤを取得し、取得した区画ＩＤに基づいて当該区画及び当該区画に隣接する区画の前記区画別栽培情報を取得する区画別栽培情報取得手段と、
取得した前記区画別栽培情報を前記情報入力表示端末に表示する表示手段と、を備えることを特徴とする農作物栽培情報利活用システム。
【請求項２】
前記栽培情報共有サーバはさらに、
前記栽培情報の記録内容に肥料又は農薬に関する情報が含まれているか否かを判断する手段と、
肥料又は農薬に関する情報が含まれている場合、当該肥料又は農薬に関する情報とともに区画ＩＤを取得し、取得した区画ＩＤの区画の生育状況をさらに対応付けて肥料農薬情報として登録する肥料農薬情報記録手段と、
前記情報入力表示端末から、ユーザＩＤとともに肥料農薬情報の表示要求を受信したとき、ユーザＩＤに基づいて前記ユーザ情報を参照して対応する区画ＩＤを取得し、取得した区画ＩＤに基づいて当該区画及び当該区画に隣接する区画の前記肥料農薬情報を取得する肥料農薬情報取得手段と、
取得した肥料農薬情報を前記情報入力表示端末に表示する表示手段と、を備えることを特徴とする請求項１に記載の農作物の栽培情報利活用システム。
【請求項３】
前記栽培情報共有サーバは、さらに、
農園毎に設置された環境センサにより取得された気象環境情報を受信し、受信した気象環境情報を日付と農園とに対応付けて農園環境情報として登録する気象環境情報記憶手段と、
前記情報入力表示端末から、農園環境情報の表示要求を受信したとき、前記農園環境情報を取得し、取得した農園環境情報を前記情報入力表示端末に表示する表示手段と、を備えることを特徴とする請求項１又は２に記載の農作物の栽培情報利活用システム。
【発明の詳細な説明】
【技術分野】
【０００１】
本発明は、農地利用希望者に対して１つの農地を複数に区画分けして使用させる農地（以後、市民農園と略す）において、利用者の農作物の栽培計画を支援する農作物の栽培情報利活用システムに関するものである。
【背景技術】
【０００２】
近年、主として都市部に居住する住民のレクリエーション手段として、市民農園の利用が広がってきている。市民農園は、一般的に都市郊外に位置し、都市部に居住する利用者が定期的にここを訪れて、自身で選択した農作物等の栽培を行う。このような市民農園の利用者は、普段は農業とは全く関係のない職業に就いている者や、農業とは無縁の生活をおくっている者が大半であり、農作物の栽培にたいがい不慣れである。そのため、専門の書物やインターネット等から情報を収集したり、市民農園を提供している農家の人のサポートを受けることで栽培計画を立案したり実行したりしている。
【０００３】
市民農園は、食に対する人々の関心の高まりや自然派志向と相まって、年々拡大をしている。それに伴い、農業に不慣れな利用者でも市民農園を気軽に利用することを可能にする様々な提案がなされている。
例えば、特許文献１では、動植物の栽培や飼育に必要な材料や設備を有しないユーザが、動植物の栽培や飼育に関する作業について通信ネットワークを介して実行者に指示を出し、動植物の栽培や飼育を行わせてその成果物を享受する、ネットワークを利用した遠隔指示システムと実施端末が提案されている。
【先行技術文献】
【特許文献】
【０００４】
【特許文献１】特開２００１−３３１５５１号公報
【発明の概要】
【発明が解決しようとする課題】
【０００５】
しかし、前述の提案では、利用者は気軽に農業を体験することができるが、その体験は擬似的であり、利用者自身が実際に土に触れたり、作業を行ったりすることはできない。
一方で、通常、市民農園は、農業を営む者がある種の農作物を作付けするのに適した農地を、利用者が利用し易いように小規模ないくつもの区画にテープや目印などで簡易的に区切り、利用者に１区画ずつ割り当てて貸し出される。そして、利用者は、利用者自身に割り当てられた区画で、それぞれ個別に農作物の栽培を行う。利用者の多くが農作物の栽培に不慣れな上、小規模な区画が隣接することで、利用者が栽培している農作物が隣接する区画で利用している農薬や肥料の影響を受ける可能性がある。さらに、隣接する区画で病害虫や病気が発生した場合、利用者が栽培している農作物に病害虫が移ることや、環境状況が類似することから、利用者の区画でも同様の病気が発生することなどが懸念される。
また、農作物の栽培には、農作物の種類、作付けされる土地が有する性質や気候などにより、様々な栽培に関するノウハウが必要とされる。市民農園で隣接する区画同士は、土地が有する性質や気候が基本的に同じであることから共通の栽培に関するノウハウが利用できる。しかし、市民農園は利用者自身がそれぞれに割り当てられた区画を、それぞれが個別に管理するのが一般的であり、隣接する区画同士の農作物の栽培に関するノウハウなどが利用者相互に利活用される環境は整っていない。
【０００６】
ここで、前述のような問題は、市民農園で隣接する区画を利用する利用者同士が、同じ時間に市民農園を訪れ、直接コミュニケーションを取れば解決できる課題であると考えられる。しかし、通常、市民農園は利用者が居住する都心部から少し離れた郊外に位置していることから、必ずしも利用者全員が頻繁に市民農園を訪れることができる訳ではない。このことから、利用者同士がコミュニケーションを取るには、そのための何らかの仕組み作りが必要となると考える。
【０００７】
本発明の目的は、市民農園などで隣接する区画で農作物を栽培している利用者同士が、それぞれの栽培している農作物の栽培情報を共有化し相互に利活用することで、利用者の農作物の栽培計画を支援する農作物の栽培情報利活用システムを提供することである。
【課題を解決するための手段】
【０００８】
上記目的を達成するために、本発明の農作物の栽培情報利活用システムは、利用者の情報入力表示端末の各々と通信ネットワークにより接続可能な栽培情報共有サーバを備えた農作物の栽培情報利活用システムであって、
前記栽培情報共有サーバは、
農園の区画の区画ＩＤと、利用者のユーザＩＤと、を対応付けてユーザ情報として登録したユーザ情報記憶手段と、
前記情報入力表示端末から、ユーザＩＤと、記録対象の作業又は事象の日付及び名称と、記録内容とを含む栽培情報を受信したとき、ユーザＩＤに基づいて前記ユーザ情報を参照して対応する区画ＩＤを取得し、取得した区画ＩＤに基づいて、区画毎に前記栽培情報を分類して区画別栽培情報として登録した区画別栽培情報記憶手段と、
前記区画別栽培情報記憶手段に記憶された前記区画別栽培情報を参照し、肥料農薬に関する情報が含まれるか否かを判断する手段と、
前記情報入力表示端末から、ユーザＩＤとともに栽培情報の表示要求を受信したとき、ユーザＩＤに基づいて前記ユーザ情報を参照して対応する区画ＩＤを取得し、取得した区画ＩＤに基づいて当該区画及び当該区画に隣接する区画の前記区画別栽培情報を取得する区画別栽培情報取得手段と、
取得した前記区画別栽培情報を前記情報入力表示端末に表示する表示手段と、を備える。
【０００９】
さらに、前記栽培情報共有サーバは、
前記栽培情報の記録内容に肥料又は農薬に関する情報が含まれているか否かを判断する手段と、
肥料又は農薬に関する情報が含まれている場合、当該肥料又は農薬に関する情報とともに区画ＩＤを取得し、取得した区画ＩＤの区画の生育状況をさらに対応付けて肥料農薬情報として登録する肥料農薬情報記録手段と、
前記情報入力表示端末から、ユーザＩＤとともに肥料農薬情報の表示要求を受信したとき、ユーザＩＤに基づいて前記ユーザ情報を参照して対応する区画ＩＤを取得し、取得した区画ＩＤに基づいて当該区画及び当該区画に隣接する区画の前記肥料農薬情報を取得する肥料農薬情報取得手段と、
取得した肥料農薬情報を前記情報入力表示端末に表示する表示手段と、を備える。
【００１０】
さらに、前記栽培情報共有サーバは、
農園毎に設置された環境センサにより取得された気象環境情報を受信し、受信した気象環境情報を日付と農園とに対応付けて農園環境情報として登録する気象環境情報記憶手段と、
前記情報入力表示端末から、農園環境情報の表示要求を受信したとき、前記農園環境情報を取得し、取得した農園環境情報を前記情報入力表示端末に表示する表示手段と、を備える。
【発明の効果】
【００１１】
本発明の農作物の栽培情報利活用システムによれば、市民農園などで隣接する区画で農作物を栽培している利用者同士が、それぞれの栽培している農作物の栽培情報を共有化し相互に利活用することで、利用者の農作物の栽培計画を支援し、さらに、利用者間のコミュニケーションを促進させることができる。
【図面の簡単な説明】
【００１２】
【図１】本発明の実施形態に係る農作物の栽培情報利活用システムの構成の一例を示す図である。
【図２】気象環境情報取得部の構成の一例を概略的に示す機能ブロック図である。
【図３】栽培情報共有サーバの構成の一例を概略的に示す機能ブロック図である。
【図４】ユーザ情報データに登録されているデータ構成の一例を示す図である。
【図５】区画別栽培情報データに登録されているデータ構成の一例を示す図である。
【図６】農園環境情報データに登録されているデータ構成の一例を示す図である。
【図７】肥料農薬データに登録されているデータ構成の一例を示す図である。
【発明を実施するための形態】
【００１３】
以下、本発明の実施形態に係る農作物の栽培情報利活用システムについて図面を参照しながら詳細に説明する。
なお、本発明の農作物の栽培情報利活用システムは、コンピュータであるを利用することで実現するものであり、各処理又は手段は、コンピュータのＣＰＵ（Ｃｅｎｔｒａｌ  Ｐｒｏｃｅｓｓｉｎｇ  Ｕｎｉｔ）が必要なプログラムをメモリに読み込んで実行することにより実現される処理又は手段である。
【００１４】
図１は、本発明の実施形態に係る農作物の栽培情報利活用システムの構成の一例を示す図である。図１に示すように、農作物の栽培情報利活用システムは、栽培情報共有サーバ１０１と、利用者が農作物の栽培情報を入力し、入力された農作物の栽培情報を栽培情報共有サーバ１０１に送信したり、栽培情報共有サーバ１０１に格納された他の農作物の栽培情報を検索して参照したりするための情報入力表示端末１０２と、市民農園周辺の自然環境を観測し、観測した情報を取得して気象環境情報として栽培情報共有サーバ１０１へ送信するための気象環境情報取得部１０３とから構成されている。ここで、栽培情報共有サーバ１０１と、情報入力表示端末１０２と、気象環境情報取得部１０３とは、インターネットなどの通信ネットワークを介して通信可能に接続されている。
情報入力表示端末１０２は、携帯電話やスマートフォンなどの携帯情報端末、パソコンなどの情報端末である。利用者による情報入力表示端末１０２の操作は、情報入力表示端末１０２の本体に付属する入力手段であるキーボード、タッチパネル、ボタンやリモコンなど、任意の入力手段を用いて行われる。
【００１５】
図２は、気象環境情報取得部１０３の構成の一例を概略的に示す機能ブロック図である。図２に示すように、気象環境情報取得部１０３は、情報処理部７０１と、農園周辺の気象環境を観測するための温湿計、風速計、日射計、降雨計などの各種の環境監視センサを備えた環境センサ部７０２とから構成されている。各種の環境監視センサは、公知のものでよい。
さらに、情報処理部７０１は、環境センサ部７０２で計測した情報を予め設定された時刻に取得するための情報取得部７０３と、情報取得部７０３で取得した情報を気象環境情報として栽培情報共有サーバ１０１に送信するための通信部７０４とから構成されている。ここで、情報取得部７０３は、例えば、栽培情報共有サーバ１０１からの気象環境情報取得要求に応じて、環境センサ部７０２で観測した情報を取得し、気象環境情報として栽培情報共有サーバ１０１に通信部７０４を介して送信するように構成されてもよい。
【００１６】
図３は、栽培情報共有サーバ１０１の構成の一例を概略的に示す機能ブロック図である。図３に示すように、栽培情報共有サーバ１０１は、情報入出力用ＷＥＢページ表示部２０１と、環境情報管理部２０２と、栽培情報管理部２０３と、情報共有管理部２０４と、各種情報のデータ（詳細は後述する）を格納した記憶部２０５とから構成されている。ここで、記憶部２０５は、各種情報のデータとして、少なくとも、農園の利用者の情報であるユーザ情報を予め登録したユーザ情報データ２０６と、市民農園の区画毎の栽培情報を登録した区画別栽培情報データ２０７と、環境情報取得部１０３から受信した環境情報を登録した農園環境情報データ２０８と、区画毎の肥料農薬の散布状況やそれに伴う農作物の生育状況である肥料農薬情報を登録した肥料農薬データ２０９とを格納している。
【００１７】
情報入出力用ＷＥＢページ表示部２０１は、情報入力表示端末１０２とインターネットなどの通信ネットワークを介して通信を行い、情報入力表示端末１０２が備える表示部に、利用者が情報入力表示端末１０２に付属する入力手段を用いて、利用者自身の記録対象の作業又は事象の日付及び名称と、記録内容を含む栽培情報（詳細は後述する）を入力及び出力したり、農園環境情報（詳細は後述する）などを出力したりする表示画面を表示させる。ここで、情報入力表示端末１０２の表示画面より入力された栽培情報は、情報入出力用ＷＥＢページ表示部２０１によって、栽培情報管理部２０３へ送られる。また、表示画面に出力される農園環境情報は、情報入出力用ＷＥＢページ表示部２０１が情報共有管理部２０４に依頼して記憶部２０５が格納している各種情報のデータに登録された情報を取得し、取得した情報が情報入出力用ＷＥＢページ表示部２０１によって情報入力表示端末１０２の表示画面に出力され表示される。
【００１８】
栽培情報管理部２０３は、情報入出力用ＷＥＢページ表示部２０１からユーザＩＤ（Ｉｄｅｎｔｉｆｉｅｒ）（詳細は後述する）と、栽培情報を取得すると、取得したユーザＩＤに基づいて、記憶部２０５のユーザ情報データ２０６（詳細は後述する）を参照し、対応するユーザ情報の区画ＩＤを取得する。取得した区画ＩＤに基づいて、栽培情報を区画ごとに分類し、区画別栽培情報として記憶部２０５の区画別栽培情報データ２０７に登録する。
また、栽培情報管理部２０３は、情報入出力用ＷＥＢページ表示部２０１から農作物の生育情報を含んだ肥料農薬情報を取得すると、取得した情報に基づいて、記憶部２０５の肥料農薬データ２０９を参照し、対応する肥料農薬情報を更新登録する。
【００１９】
情報共有管理部２０４は、情報入出力ＷＥＢページ表示部２０１からユーザＩＤとともに栽培情報の取得を求められると、求めに応じて、ユーザＩＤに基づいて、記憶部２０５のユーザ情報データ２０６を参照し、対応するユーザ情報の区画ＩＤを取得する。取得した区画ＩＤに基づいて、記憶部２０５の区画別栽培情報データ２０７から対応する区画およびその周辺の隣接する区画の区画別栽培情報を取得する。ここで、情報共有管理部２０４は、取得した情報が利用者以外の他者に公開可の情報、つまり他者との共有が可能な情報か否かを区画別栽培情報データ２０７の種類４０６（詳細は後述する）を参照し、判断する。判断の結果、取得した情報の中で共有可の情報のみを抽出し、抽出した情報を情報入出力ＷＥＢページ表示部２０１へ返却する。
また、情報共有管理部２０４は、情報入出力ＷＥＢページ表示部２０１からユーザＩＤとともに農園環境情報の取得を求められると、求めに応じて、ユーザＩＤに基づいて、記憶部２０５のユーザ情報データ２０６から対応するユーザ情報の区画ＩＤを取得する。取得した区画ＩＤに基づいて、記憶部２０５の農園環境情報データ２０８を参照し、対応する農園環境情報を取得する。取得した農園環境情報を情報入出力ＷＥＢページ表示部２０１へ返却する。
さらに、情報共有管理部２０４は、情報入出力ＷＥＢページ表示部２０１からユーザＩＤとともに肥料又は農薬による農作物の生育状況に関する情報である肥料農薬情報の取得を求められると、求めに応じて、ユーザＩＤに基づいて、記憶部２０５のユーザ情報データ２０６を参照し、対応するユーザ情報の区画ＩＤを取得する。取得した区画ＩＤに基づいて、記憶部２０５の肥料農薬データ２０９を参照し、区画ＩＤに対応する利用者の区画およびその周辺の隣接する区画の肥料農薬情報を取得する。取得した肥料農薬情報を情報入出力ＷＥＢページ表示部２０１へ返却する。
【００２０】
環境情報管理部２０２は、気象環境情報取得部１０３から通信ネットワークを介して受信した気象環境情報を、農園環境情報として記憶部２０５が格納している農園環境情報データ２０８に登録する。
【００２１】
次に、記憶部２０５が格納する各種情報のデータについて図４〜図７を参照し、説明する。
図４は、ユーザ情報データ２０６に登録されているデータ構成の一例を示す図である。ユーザ情報データ２０６には、農園の利用者の情報が予め登録されている。図４に示すように、ユーザ情報データ２０６は、ユーザＩＤ３０１と、枝番３０２と、区画ＩＤ３０４と、契約期間３０５とから構成されている。
ユーザＩＤ３０１には、利用者を一意に特定する名前を示す識別符号が、例えば「２００９００１」と登録される。枝番３０２は、１人の利用者が複数の区画を利用した場合、もしくは、断続的に区画を利用した場合に、これを用いて管理を行うためのものである。従って、枝番３０２には、ユーザＩＤを分けるための枝番が、例えば、初回利用時は枝番３０２に「０」を付与し、追加で区画を利用した場合、もしくは、利用を中断して再開した場合は前回付与された枝番３０２に１を加算した番号を付与して登録される。氏名３０３には、利用者の氏名が、例えば「○○××」と登録される。区画ＩＤ３０４には、区画を一意に特定する名前を示す識別符号が、例えば、「１−２」と登録される。区画ＩＤは、○−×、の形で示され、前半の○は対象となる農園全体を示す識別符号であり、後半の×は農園内の各区画を示す識別符号である。契約期間３０５には、利用者が区画を契約した契約期間が、例えば「２００９．１〜２０１０．１」と登録される。
【００２２】
図５は、区画別栽培情報データ２０７に登録されているデータ構成の一例を示す図である。図５に示すように、区画別栽培情報データ２０７は、区画ＩＤ４０１と、履歴ＮＯ４０２と、ユーザＩＤ４０３と、日付４０４と、対象４０５と、種類４０６と、内容４０７とから構成されており、農作物の栽培に関する情報が時系列に沿って区画毎に分類整理されて登録される。
区画ＩＤ４０１には、前述と同様の区画を一意に特定する名前を示す識別符号が、例えば、「１−２」と登録される。履歴ＮＯ４０２には、情報が登録された順に番号が付与され、登録される。ユーザＩＤ４０３には、前述と同様の利用者を一意に特定する名前を示す識別符号が登録される。ここで登録されるユーザＩＤ４０３は、情報を登録した利用者である。日付４０４には、利用者が作業を行ったり、起きた事象などの情報を確認した日付が、例えば「２０１０．４．３」と登録される。対象４０５には、情報の対象物を指定する項目が、例えば、区画全般に対する作業や事象は「圃場」と登録され、農作物に関する作業や事象は農作物の名前が「ほうれん草」と登録される。
種類４０６には、登録される情報がどの様な種類であるかが登録される。種類４０６は、情報を共有することの可否を判断する情報である。例えば、利用者が実際に区画で行った作業の履歴情報の場合は「作業」と登録され、利用者が区画で確認した事象や気付いた事を記録する場合は「情報」と登録され、また、利用者以外の他者には公開したくない情報、他者とは共有したくない情報の場合には「メモ」と登録される。これを登録することで、利用者以外の他者に公開可の情報と公開不可の情報を分類することが可能となり、情報共有管理部２０４が取得した区画別栽培情報を利用者以外の他者と共有することの可否を判断することが可能となる。例えば、種類４０６に登録される情報の内「メモ」のみを公開不可の情報であるとした場合、情報共有管理部２０４は、取得した情報の中で「メモ」以外の情報のみを抽出し、抽出した情報を情報入出力ＷＥＢページ表示部２０１へ返却することになる。
内容４０７には、具体的な作業の記録内容や情報の記録内容が、例えば、「肥料Ａ」又は「害虫Ｃ発生」と登録される。
【００２３】
ここで、情報入出力用ＷＥＢページ表示部２０１を介して、利用者が情報入力表示端末１０２から農作物の栽培情報を検索する際、対象４０５と、種類４０６と、内容４０７とに登録される項目を予めリスト化する事で、利用者からの検索が行い易くなる。また、このように、区画別栽培情報データ２０７で、農作物の栽培情報をデータ化して記録することで、利用者自身の農作物の栽培ノウハウを容易に整理して記録することができ、さらに、栽培情報を利用者以外の他者にも公開することで、その農作物の栽培ノウハウを容易に共有することができる。一方、利用者は、自身の区画で以前栽培されていた農作物についての栽培履歴に関する情報や、周辺の区画で栽培されている農作物の情報も知ることができる。
【００２４】
図６は、農園環境情報データ２０８に登録されているデータ構成の一例を示す図である。図６に示すように、農園環境情報データ２０８は、日付５０１と、時間５０２と、農園ＩＤ５０３と、気温５０４と、湿度５０５と、風速５０６と、風向５０７と、日射量５０８と、降水量５０９とから構成されており、気象環境情報取得部１０３から栽培情報共有サーバ１０２の環境情報管理部２０２が受信した気象環境情報が農園環境情報として登録される。
日付５０１には、気象環境情報の測定が行われた日付が、例えば「２０１１．４．１」と登録される。時間５０２には、気象環境情報が測定された時間が、例えば「１０：００」と登録される。農園ＩＤ５０３には、農園を一意に特定する識別符号が登録される。この農園ＩＤ５０３には、前述した区画ＩＤの農園全体を示す識別符号を用いて登録される。ここで、区画毎ではなく、農園毎に登録される理由は、気象環境に関する情報は、区画の単位では差異が出にくいため、農園単位で情報を管理した方が効率的であることによる。気温５０４と、湿度５０５と、風速５０６と、風向５０７と、日射量５０８と、降水量５０９とには、気象環境情報を数値的に示したものが、例えば、「１０．１℃」「５１％」「２．２ｍ」「北北西」「２．３１ＭＪ／ｍ２」「０ｍｍ」と登録される。
【００２５】
図７は、肥料農薬データ２０９に登録されているデータ構成の一例を示す図である。図７に示すように、肥料農薬データ２０９は、日付６０１と、区画ＩＤ６０２と、肥料６０３と、農薬６０４と、生育状況６０５とから構成されている。
肥料農薬データ２０９は、栽培情報管理部２０３によって区画別栽培情報データ２０７が登録されると、区画別栽培情報データ２０７の内容４０７を参照し、肥料又は農薬に関する情報が含まれているか否かを判断する。判断の結果、肥料又は農薬に関する情報が含まれている場合は、区画別栽培情報データ２０７の区画ＩＤ４０１と内容４０７とを取得し、区画ＩＤ４０１の区画の生育状況と日付と対応付けて新たな肥料農薬情報として肥料農薬データ２０９に登録する。判断の結果、肥料又は農薬に関する情報が含まれていない場合には、情報は登録されない。また、利用者又は農園の監視者は、農作物の生育状況を定期的に目視で確認し、確認した日付と農作物の生育状況を情報入出力用ＷＥＢページ表示部を介して入力する。入力された情報は、農作物の生育状況を含んだ肥料農薬情報として肥料農薬データ２０９に取得され、日付６０１と生育状況６０５の情報が更新登録される。ここで、農園の監視者とは、農園の全体的な維持管理を行っている人間であり、農園を定期的に見回って利用者の補佐として、農作物の生育状況の確認などを行う。
【００２６】
日付６０１には、利用者又は農園の監視者が農作物の生育状況を目視で確認した日付が、例えば「２０１１．４．１」と登録される。区画ＩＤ６０２には、区画別栽培情報データ２０７から取得した区画ＩＤ４０１が登録される。肥料６０３には、区画別栽培情報データ２０７の内容４０７から抽出された散布した肥料の種類が、例えば、「肥料Ａ、窒素」と登録される。肥料６０３には、肥料の名称だけでなく、肥料の種別も登録されるようにするとよい。農薬６０４には、区画別栽培情報データ２０７の内容４０７から抽出された散布した農薬の種類が、例えば「農薬Ａ」と登録される。農薬に関する情報が抽出されない場合は、農薬が散布されていないものとし「なし」と登録される。生育状況６０５には、農作物の生育状況を利用者又は農園の監視者が農作物の生育状況を目視で確認し、確認した生育状況が、例えば「順調」又は「異常」と登録される。ここでの「異常」とは、葉が腐る、葉が落ちる、葉の色の変色等をいう。
【００２７】
図７で示した肥料農薬データ２０９に登録された肥料農薬情報を参照するとこで、利用者は、区画ごとに肥料又は農薬が散布されたことによる農作物の生育状況の違いを確認することができる。
例えば、図７に示すように、区画ＩＤ６０２が「１−１」と隣接する区画ＩＤ６０２が「１−２」を比較すると、それぞれの区画ＩＤ６０２に対応する肥料６０３と農薬６０４から、肥料及び農薬が散布された区画ＩＤ６０２が「１−１」は対応する生育状況６０５が「順調」に対して、肥料及び農薬が散布されていない区画ＩＤ６０２が「１−２」に対応する生育状況６０５が「不調」であることから、肥料及び農薬の散布による区画ごとへの影響はないものと判断することができる。また、区画ＩＤ６０２が「２−１」では、対応する肥料６０３と、農薬６０４と、生育状況６０５とより、肥料は「肥料Ｂ、ケイ素」を、農薬は「農薬Ａ」を散布したところ、農作物の生育状況に「異常」が見られていた。しかし、その後の日付６０１の区画ＩＤ６０２が「２−１」に対応する肥料６０３と、農薬６０４と、生育状況６０５とより、「農薬Ａ」の散布を中止し、「肥料Ｃ」を散布したところ、農作物の生育状況が「順調」になっていることが確認できることから、「肥料Ｃ」は区画ＩＤが「２−１」での農作物の栽培には適しているということがわかる。これより、利用者の区画と隣接した区画に対して、肥料及び農薬の影響は低いが、区画ごとに適する又は適しない農薬及び肥料があることがわかる。
【００２８】
前述より、本発明によれば、農作物の栽培情報をデータ化して記録することで、利用者自身の農作物の栽培ノウハウを容易に整理して蓄積することができる。一方、農作物の栽培情報を他の利用者と共有することで、利用者自身の区画と隣接する他の区画の栽培情報を参考にして、利用者自身の区画での農作物の栽培方針を決める事ができる。また、利用者の区画の周辺の農作物の栽培情報から、栽培の状況を把握でき、問題への対処方法を検討する資料とする事ができる。さらに、過去の農作物の栽培情報から栽培履歴を容易に把握することができ、利用者はそれに基づいて農作物の栽培方針を決定することができる。また、農作物の栽培情報の共有は、前述のような農作物の栽培に関する効果以外にも、農園の利用者間でのコミュニケーションが促進される効果が期待できる。
【符号の説明】
【００２９】
１０１  栽培情報共有サーバ
１０２  情報入出力端末
１０３  気象環境情報取得部
２０１  情報入出力用WEBページ表示部
２０２  環境情報管理部
２０３  栽培情報管理部
２０４  情報共有管理部
２０５  記憶部  
２０６  ユーザ情報データ  
２０７  区画別栽培情報データ  
２０８  農園環境情報データ  
２０９  肥料農薬データ
７０１  情報処理部
７０２  環境センサ部
７０３  情報取得部
７０４  通信部
【図１】
2014035700.tif 000003
【図２】
2014035700.tif 000004
【図３】
2014035700.tif 000005
【図４】
2014035700.tif 000006
【図５】
2014035700.tif 000007
【図６】
2014035700.tif 000008
【図７】
2014035700.tif 000009